(57)【要約】【課題】排気熱の有効利用を図ることで発生するドレン水の処理を確実に行えるコージェネレーションシステムを提供する。【解決手段】電力と熱を発生する熱電併給装置１と、該熱電併給装置１からの排気ガスを大気に放出する排気筒１１とを備え、前記排気筒１１を下流側に向かって傾斜させると共に、該排気筒１１内には排気熱回収熱交換器１２を備え、更にこの排気熱回収熱交換器１２より下流側の排気筒１１にはドレン水回収手段１６を設けたので、無駄に捨てられる排気ガスの熱を排気熱回収熱交換器１２で回収して、経済的で効率の良いシステムを得ることは勿論、この熱回収でドレン水も排気筒１１の傾斜で熱電併給装置１側に流れることなく、確実にドレン水回収手段１６で回収することが出来、ドレン水によって熱電併給装置１が破損したり、作動不良や錆び付き等の不具合の発生を確実に防止出来るものである。【選択図】  図１
2005061344.tif 000002
【特許請求の範囲】
【請求項１】
電力と熱を発生する熱電併給装置と、該熱電併給装置からの排気ガスを大気に放出する排気筒とを備え、前記排気筒を下流側に向かって傾斜させると共に、該排気筒内には排気熱回収熱交換器を備え、更にこの排気熱回収熱交換器より下流側の排気筒にはドレン水回収手段を設けた事を特徴とするコージェネレーションシステム。
【請求項２】
前記排気熱回収熱交換器は、パイプを円筒状に巻回して形成し内外を排気ガスが流通するようにした事を特徴とする請求項１記載のコージェネレーションシステム。
【請求項３】
前記ドレン水回収手段は、排気筒内方でドレン水を捕集する捕集部と、該捕集部の連通穴から流出するドレン水を受けてドレンバイプに案内するドレン受けとで構成した事を特徴とする請求項１及び２記載のコージェネレーションシステム。
【発明の詳細な説明】
【技術分野】
【０００１】
この発明は、エンジンと発電機とを一体化したもの或いは燃料電池と言うように、電力と熱とを発生する熱電併給装置の排気熱を有効利用するようにしたコージェネレーションシステムに関するものである。
【背景技術】
【０００２】
従来よりこの種のものでは、排気筒外周に熱交換器を巻き付けて、捨てられる排気ガスの熱を有効利用するして、経済的で効率の良いシステムを提供しようとするものであった。
（例えば、特許文献１参照。）
【特許文献１】特開２００１−６５９７５号公報
【発明の開示】
【発明が解決しようとする課題】
【０００３】
ところでこの従来のものでは、排気熱を有効利用するあまりに、排気温度を下げ過ぎると結露が起こりドレンが発生し、このドレンによって熱電併給装置が破損したり、作動不良や錆び付く等の不具合の原因となるものであり、従ってこのドレンの処理をどのようにするかが大きな問題であった。
【課題を解決するための手段】
【０００４】
この発明はこの点に着目し上記問題点を解決する為、特にその構成を、電力と熱を発生する熱電併給装置と、該熱電併給装置からの排気ガスを大気に放出する排気筒とを備え、前記排気筒を下流側に向かって傾斜させると共に、該排気筒内には排気熱回収熱交換器を備え、更にこの排気熱回収熱交換器より下流側の排気筒にはドレン水回収手段を設けたものである。
【０００５】
又前記排気熱回収熱交換器は、パイプを円筒状に巻回して形成し内外を排気ガスが流通するようにしたものである。
【０００６】
又前記ドレン水回収手段は、排気筒内方でドレン水を捕集する捕集部と、該捕集部の連通穴から流出するドレン水を受けてドレンバイプに案内するドレン受けとで構成したものである。
【発明の効果】
【０００７】
この発明によれば、無駄に捨てられる排気ガスの熱を排気熱回収熱交換器で回収して、経済的で効率の良いシステムを得ることは勿論、この熱回収でドレン水も排気筒の傾斜で熱電併給装置側に流れることなく、確実にドレン水回収手段で回収することが出来、ドレン水によって熱電併給装置が破損したり、作動不良や錆び付き等の不具合の発生を確実に防止して、常に安心して使用出来るようにしたものである。
【０００８】
更に排気熱回収熱交換器は、パイプを円筒状に巻回して形成し内外を排気ガスが流通するようにしたので、内外面で排気ガスと接触してその接触面積を広く取ることが出来、効率の良い熱回収が行えるものである。
【０００９】
更にドレン水回収手段を、排気筒内方でドレン水を捕集する捕集部と、該捕集部の連通穴から流出するドレン水を受けてドレンバイプに案内するドレン受けとで構成したことで、ドレン水を漏らすことなく確実に捕集して回収出来るものである。
【発明を実施するための最良の形態】
【００１０】
次にこの発明の一実施形態を図面に基づいて説明する。
１は熱電併給装置で、内方には灯油エンジン２、発電機３、発電制御盤４、消音器５、ファン６、ラジエータ７、熱交換器８がそれぞれ備えられ、前記灯油エンジン２で発電機３を回して発電し、この電力を発電制御盤４を介して病院、ホテル、ショッピングセンター等の各施設９に供給するものであり、又灯油エンジン２で発生した熱を熱交換器８で熱交換し、この熱を利用して吸収式冷温水機１０で施設９の冷暖房を行うものであり、熱交換器８で熱交換後の温水はラジエータ７でファン６の送風で、冷却されて再び灯油エンジン２の冷却水として使用されるものでありコージェネレーションシステムを構成するものである。
【００１１】
１１は消音器５に接続した灯油エンジン２の排気を大気に放出する排気筒で、大気放出の下流側に向かってやや傾斜しており、この傾斜している排気筒１１途中の内方には該排気筒１１内径より小径で螺旋状に巻回された排気熱回収熱交換器１２が備えられ、この排気熱回収熱交換器１２は循環ポンプ１３を有する循環回路１４を介して貯湯槽１５と連通し、３５０℃前後の排気熱と貯湯槽１５内の湯水と熱交換させて、該貯湯槽１５に排気熱を無駄なく利用して高温水を貯湯し、この高温水を施設９の給湯等に使用するものである。
【００１２】
１６は上記排気熱の熱交換で排気筒１１内に発生するドレン水を回収して排水するドレン水回収手段で、排気熱回収熱交換器１２の前方の排気筒１１内壁に固着され、ドレン水を捕集するドーナツ状の捕集部１７と、該捕集部１７の底部に形成された複数の連通穴１８から流出するドレン水を受けてドレンパイプ１９に案内するドレン受け２０とから構成され、排気熱回収熱交換器１２と熱交換し温度降下した排気から発生するドレン水を熱電併給装置１側に滴下させることなく排水するものである。
【００１３】
このドレン水回収手段１６では、発生したドレン水が排気筒１１の傾斜に沿って、該排気筒１１内壁底部を流下して捕集部１７に溜まり、該捕集部１７に溜まったドレン水は連通穴１８を介してドレン受け２０に流れてドレンパイプ１９で所定場所に排水されるもので、ドレン水は確実に捕集されて決められた場所に排水され、熱電併給装置１側に滴下して不具合の原因になることがなく、常に安心して使用出来るものであり、更に排気熱回収熱交換器１２によって、無駄に捨てられる熱も有効利用して給湯として使用出来、極めて便利であり効率の良いシステムを提供出来るものである。
【００１４】
尚、この一実施形態では、灯油エンジン２から発生する熱を利用して施設９の冷暖房を行うようにしたが、この熱を利用して温水を貯湯して給湯として提供するようにしても良いものであり、同様な効果を得ることが出来るものである。
【図面の簡単な説明】
【００１５】
【図１】この発明の一実施形態を示す熱電併給装置の概略構成図。
【図２】同要部の説明図
【符号の説明】
【００１６】
１  熱電併給装置
１１  排気筒
１２  排気熱回収熱交換器
１６  ドレン水回収手段
１７  捕集部
１８  連通穴
１９  ドレンパイプ
２０  ドレン受け
【図１】
2005061344.tif 000003
【図２】
2005061344.tif 000004